(57)【要約】【目的】  本考案は、建物の屋根の緑化を施工するための屋根緑化仕切具に関するもので、近年においては、自然の減少や都市のヒートアイランド化現象が問題になっていて、自然環境の復活及びヒートアイランド化現象の緩和等のために建物の屋上での緑化施工が数多く行われている。このような建物の屋上での緑化施工適する屋根緑化仕切具を提供する。【構成】  断面が凹凸溝形状を成す屋根板(1)の凹部(2)の底部に不織布(3)を敷いて止めておき、その凹部に横桟(4)に木ねじ(5)で装着した駒(A)をはめ込み、駒取付用の横桟(4)の孔から屋根板にボルト(6)を通してナットで固定することを特徴とする屋根緑化仕切具の構成。【選択図】      図１２
0003103492.tif 000002
【実用新案登録請求の範囲】
【請求項１】
断面が凹凸溝形状を成す屋根板(1)の凹部(2)の底部に不織布(3)を敷いて止めておき、その凹部に横桟(4)に木ねじ(5)で装着した駒(A)をはめ込み、駒取付用の横桟(4)の孔から屋根板にボルト(6)を通してナットで固定することを特徴とする屋根緑化仕切具。
【考案の詳細な説明】
【技術分野】
【０００１】
本考案は、建物の屋根の緑化を施工するための屋根緑化仕切具に関するものである。
【背景技術】
【０００２】
近年においては、自然の減少や都市のヒートアイランド化現象が問題になっていて、自然環境の復活及びヒートアイランド化現象の緩和等のために建物の屋上での緑化施工数多く行われている。
【０００３】
そして、その屋根緑化の中にあって建物の屋根の凹凸溝を利用して緑化を図る発明・考案も開示されている。
【特許文献１】特開２００３−３３９２４１公開特許公報
【特許文献２】特開２００１−２３１３５７公開特許公報
【考案の開示】
【考案が解決しようとする課題】
【０００４】
上記特許文献１の発明は、周囲に波形屋根の山部に載置するフランジ部（縁辺部）を有する植栽パック内に土壌を詰めてツタ類を植栽し、当該植栽パックを屋根の単一の谷部（凹部）に複数嵌め込んで列設した構造である。これによって、植生部以外に土壌等の植生基盤を不要にし、育成パネルのみの生育基盤にすることで、全体的に軽量にして建物への荷重負荷が少ない等の効果がある、としている。一方、フランジ部が設けられている植栽パックを用いることはその分の重量が屋根に加わることは避けられない。また、植栽パックは各谷部ごとに設置するのでその設置作業に非常に手間が掛かる。
【０００５】
次に特許文献２の発明は、波形屋根の単一の谷部（凹部）の長さ方向に沿って複数の仕切部材を適宜の間隔をあけて配置されていて、ワイヤー製押さえ部材で連結されている。これによって、燐悦する基板同士の接合と谷部への仕切部材の設置、さらには基板上への塗膜の形成を同時に且つ短時間で行うことができるので、緑化かのうな屋根の施工期間を大幅に短縮し、コストダウンを図ることができる等の効果がある、としている。その一方で、仕切部材は各谷部ごとに設置するのでその設置作業に非常に手間が掛かる。
【課題を解決するための手段】
【０００６】
そこで本考案は、従来の課題を解決するために提供するものであり、考案の第１は、屋根緑化仕切具において、断面が凹凸溝形状を成す屋根板の凹溝（谷部）部の底部に不織布を敷いて止めておき、その凹部に横桟に木ねじで装着した仕切用の駒を嵌め込み、駒取付用の横桟の孔から屋根板にボルトを通してナットで固定するようにしたものである。
【考案の効果】
【０００７】
本考案は上記の構成であるから次の効果がある。すなわち、屋根の凹部（谷部）の先端近傍に本考案に係る屋根緑化仕切具を複数列の凹部に一度に嵌め込んで配置し、山部の適宜個所に木ねじをねじ込んで固定する構造であるから多数列の仕切作業の効率が向上すると共に、傾斜屋根における不織布の敷き込みや客土の充填に際して、ストッパの役割を確実に行える。
【０００８】
また、屋根の凹部を利用して播種又は草本の植栽を施すのにフランジ付のプランタのような容器を一切用いないので、少なくともその容器の分だけ軽量化が図れる。そして、凹部の底部には不織布が敷き込まれているため、その上に客土を詰めて播種や草本の植栽をして灌水したときに余剰水は凹部と仕切駒の隙間から排水されも、当該不織布の含水によって適度の保水効果が保たれる。
【考案を実施するための最良の形態】
【０００９】
次に本考案を実施するための最良の形態を説明する。
【実施例】
【００１０】
次に本考案を実施するための最良の形態を説明する。
次に本考案の実施例を図面に即して説明する。１は断面が凹凸溝形状を成す屋根板、２はその屋根の凹溝、２′は屋根の凸溝、３は凹部２の底部に敷き込んだ不織布、４は凹凸溝に略直角に交差して配置する駒取付用の横桟、Ａは屋根の隣り合う複数列の凹溝２に嵌め込める仕切用の駒であり、凹溝の形状に合わせた外形の平面を横桟４に木ねじ５又は釘などの止め具で固定してある。６は前記駒取付用の横桟を屋根の凸溝２′に載置すると共にその横桟にあけた孔７と屋根材の凸溝にあけた孔８に通してナットで止めるためのボルト、9は客土、１０は草本類の植栽物を示す。
【００１１】
「作業工程例」
次に本考案に係る屋根緑化仕切具の作業工程例を説明する。
(1)  屋根の各凹溝２の底部に不織布３を敷き込む。
(2)  各凹溝先端近傍に仕切用駒５を嵌め込む。
(3)  横桟４を屋根の凸溝３に載置し、ボルト８を孔６に挿通すると共にナットを介して当該横桟を屋根の凸溝に固定する。
(4)  各凹溝２に客土９を詰めて略凸溝平面に達するまで盛り土をする。
(5)  客土９に播種又は草本類の植栽物を植える。
【産業上の利用可能性】
【００１２】
本考案に係る屋根緑化仕切具は既存の屋根に取付られるほか、予め家の屋根葺きをする前の屋根材に取り付けておくこともでき、屋根材の凹凸溝を利用した屋根緑化に適用することができる。
【図面の簡単な説明】
【００１３】
【図１】本考案に係る屋根緑化仕切具の正面図である。
【図２】背面図である。
【図３】平面図である。
【図４】底面図である。
【図５】右側面図である。
【図６】左側面図である。
【図７】図１の７―７線に沿う断面図である。
【図８】図３の８―８線に沿う断面図である。
【図９】仕切駒用駒取付板の平面図である。
【図１０】仕切体用駒の正面図である。
【図１１】仕切体用駒の斜面図である。
【図１２】植栽状態を示す斜視図である。
【図１３】図１２の１３−１３線に沿う拡大断面図である。
【図１４】図１３の１４−１４線に沿う断面図である。
【符号の説明】
【００１４】
１  屋根材
２  凹溝
３  不織布
４  駒取付用桟
５  木ねじ
６  ボルト
７  植生土
８  植栽物
９  駒取付用桟の孔
１０  屋根材の凸部の孔
Ａ  仕切用駒
【図１】
0003103492.tif 000003
【図２】
0003103492.tif 000004
【図３】
0003103492.tif 000005
【図４】
0003103492.tif 000006
【図５】
0003103492.tif 000007
【図６】
0003103492.tif 000008
【図７】
0003103492.tif 000009
【図８】
0003103492.tif 000010
【図９】
0003103492.tif 000011
【図１０】
0003103492.tif 000012
【図１１】
0003103492.tif 000013
【図１２】
0003103492.tif 000014
【図１３】
0003103492.tif 000015
【図１４】
0003103492.tif 000016
【手続補正書】
【提出日】平成16年3月19日(2004.3.19)
【手続補正１】
【補正対象書類名】図面
【補正対象項目名】図４
【補正方法】変更
【補正の内容】
【図４】
0003103492.tif 000017